(57)【要約】      （修正有）【課題】高い防水性能を有し、且つ容易に電池の出し入れが可能な防水型電気機器の電池収容部構造の提供。【解決手段】円筒型電池２，２の電極部に接触する一対の電極端子を両端に配してなる電池ホルダ部１１，１１と、電池ホルダ部１１，１１を収容する箱型の防水型電気機器用ケース１０と、防水型電気機器用ケース１０の外側から電池ホルダ部１１，１１に円筒型電池２，２を装填するための電池装填口１２と、電池装填口１２を開閉可能に閉鎖する装填口閉鎖蓋１３と、電池装填口１２と装填口閉鎖蓋１３との間を気密に閉鎖する止水用パッキン１４とを備え、装填口閉鎖蓋１３と電池装填口１２には、互いに螺合可能なねじ部を有し、装填口閉鎖蓋１３を電池装填口１２にねじ込むことにより、電池装填口１２が気密に閉鎖されるようにした。【選択図】図１
2006216342.tif 000002
【特許請求の範囲】
【請求項１】
両端に電極部を有する円筒型電池の電極部に接触する一対の電極端子を両端に配し、両電極端子間方向と交差する方向より前記円筒型電池を前記両電極端子間に装填するようにしてなる電池ホルダ部と、該電池ホルダ部を収容する箱型の防水型電気機器用ケースと、該防水型電気機器用ケースの外側から前記電池ホルダ部に前記円筒型電池を装填するための円形の電池装填口と、該電池装填口を開閉可能に閉鎖する装填口閉鎖蓋と、前記電池装填口と装填口閉鎖蓋との間を気密に閉鎖する止水用パッキンとを備え、
前記装填口閉鎖蓋と前記電池装填口には、互いに螺合可能なねじ部を有し、該装填口閉鎖蓋を前記電池装填口にねじ込むことにより、前記電池装填口が気密に閉鎖されるようにしたことを特徴としてなる防水型電気機器の電池収容部構造。
【請求項２】
電池ホルダ部は、電池装填口に対して一方の端部が円の外側、他方の端部が円の内側に位置するように配置され、前記電池ホルダ部に装填された円筒型電池の一方の端部が電池装填口周辺のケース内部に潜り込むようにした請求項１に記載の防水型電気機器の電池収容部構造。
【請求項３】
複数の電池ホルダ部が互いに長手方向にずれた配置に設置され、各電池ホルダ部に装填された円筒型電池の一方の端部が電池装填口両側のケース内側部に潜り込むようにした請求項２に記載の防水型電気機器の電池収容部構造。
【請求項４】
装填口閉鎖蓋は、表面部に回転用取っ手部を一体に備えた請求項１、２又は３に記載の防水型電気機器の電池収容部構造。
【発明の詳細な説明】
【技術分野】
【０００１】
本発明は、主に浴室内用リモコン等の電気機器に用いられる防水型電気機器の電池収容部構造に関する。
【背景技術】
【０００２】
一般に、浴室内に設置された給湯器や暖房装置等を操作するための浴室内用リモコン等の電気機器は、電源として円筒型電池を使用する構造となっており、その使用環境から感電等を生じるおそれがあるので、電池を収容する部分において高い防水性能が要求される。
【０００３】
従来、このような防水型電気機器の電池収容部分構造には、例えば、図５に示すようなものが知られている。
【０００４】
この防水型電気機器の電池収容部構造は、電気機器の外殻を形成するケース１と、ケース１内に収容され、円筒型電池２，２を保持する電池ホルダ部３と、ケース１の外側より電池ホルダ部３に円筒型電池２，２を装填するための電池装填口４と、電池装填口４を閉鎖する装填口閉鎖蓋５と、電池装填口４と装填口閉鎖蓋５との間を気密に閉鎖する止水用パッキン６とを備え、装填口閉鎖蓋５で電池装填口４を閉鎖し、その状態で固定用ビス部材７により装填口閉鎖蓋５をケース１に固定することにより、電池装填口４が気密に閉鎖されるようになっている。
【発明の開示】
【発明が解決しようとする課題】
【０００５】
しかし、上述の如き従来の技術では、装填口閉鎖蓋を固定用ビス部材によって固定する構造であるため、装填口閉鎖蓋による止水用パッキンを押圧する力が固定用ビス部材の周辺に集中して均等に作用せず、十分な防水性能が得られないという問題があり、また、固定用ビス部材の着脱には、ドライバーやコイン等を使用しなければならず作業が煩わしいという問題もあった。
【０００６】
また、固定用ビス部材を装填口閉鎖蓋の中央部、即ち止水材の内側に配置した場合、固定用ビス部材と装填口閉鎖蓋との間にもＯリング等の止水用のパッキンを設けなければならず、構造が複雑となりコストが増大するという問題があり、一方、止水材の外側に固定用ビス部材を配置する構造とした場合、装填口閉鎖蓋の外周に固定部分を設けなければならず、電気機器の小型化の妨げとなるという問題もあった。
【０００７】
そこで本発明は、上述の従来技術の問題を鑑み、高い防水性能を有し、且つ容易に電池の出し入れが可能な防水型電気機器の電池収容部構造の提供を目的とする。
【課題を解決するための手段】
【０００８】
上述の如き従来の問題を解決し、所期の目的を達成するための請求項１に記載の発明は、両端に電極部を有する円筒型電池の電極部に接触する一対の電極端子を両端に配し、両電極端子間方向軸と交差する方向より前記円筒型電池を前記両電極端子間に装填するようにしてなる電池ホルダ部と、該電池ホルダ部を収容する箱型の防水型電気機器用ケースと、該防水型電気機器用ケースの外側から前記電池ホルダ部に前記円筒型電池を装填するための電池装填口と、該電池装填口を開閉可能に閉鎖する装填口閉鎖蓋と、前記電池装填口と装填口閉鎖蓋との間を気密に閉鎖する止水用パッキンとを備え、前記装填口閉鎖蓋と前記電池装填口には、互いに螺合可能なねじ部を有し、該装填口閉鎖蓋を前記電池装填口にねじ込むことにより、前記電池装填口が気密に閉鎖されるようにした防水型電気機器の電池収容部構造であることを特徴とする。
【０００９】
請求項２に記載の発明は、請求項１の構成に加え、電池ホルダ部は、電池装填口に対して一方の端部が円の外側、他方の端部が円の内側に位置するように配置され、前記電池ホルダ部に装填された円筒型電池の一方の端部が電池装填口周辺のケース内側部に潜り込むようにしたことを特徴とする。
【００１０】
請求項３に記載の発明は、請求項２の構成に加え、複数の電池ホルダ部が互いに長手方向にずれた配置に設置され、各電池ホルダ部に装填された円筒型電池の一方の端部がそれぞれ電池装填口両側のケース内側部に潜り込むようにしたことを特徴とする。
【００１１】
請求項４に記載の発明は、請求項１、２又は３の構成に加え、装填口閉鎖蓋は、表面部に回転用取っ手部を一体に備えたことを特徴とする。
【発明の効果】
【００１２】
本発明に係る防水型電気機器の電池収容部構造は、両端に電極部を有する円筒型電池の電極部に接触する一対の電極端子を両端に配し、両電極端子間方向軸と交差する方向より前記円筒型電池を前記両電極端子間に装填するようにしてなる電池ホルダ部と、該電池ホルダ部を収容する箱型の防水型電気機器用ケースと、該防水型電気機器用ケースの外側から前記電池ホルダ部に前記円筒型電池を装填するための電池装填口と、該電池装填口を開閉可能に閉鎖する装填口閉鎖蓋と、前記電池装填口と装填口閉鎖蓋との間を気密に閉鎖する止水用パッキンとを備え、前記装填口閉鎖蓋と前記電池装填口には、互いに螺合可能なねじ部を有し、該装填口閉鎖蓋を前記電池装填口にねじ込むことにより、前記電池装填口が気密に閉鎖されるようにしたことによって、止水用パッキンを均等に圧縮して好適な防水状態が得られるとともに、装填口閉鎖蓋を容易に開閉することができる。
【００１３】
電池ホルダ部は、電池装填口に対して一方の端部が円の外側、他方の端部が円の内側に位置するように配置され、前記電池ホルダ部に装填された円筒型電池の一方の端部が電池装填口周辺のケース内側部に潜り込むようにしたことによって、電池装填口の径が円筒型電池の長手方向長さより小さくても好適に円筒型電池を電池ホルダに装填することができ、装置全体の小型化を図ることができる。
【００１４】
装填口閉鎖蓋は、表面部に回転用取っ手部を一体に備えたことによって、装填口閉鎖蓋をコインやドライバーを使用せずに手によって容易に開閉することができる。
【発明を実施するための最良の形態】
【００１５】
次に、本発明に係る防水型電気機器の電池収容部構造の実施例について図に基づいて説明する。尚、上述の実施例と同一の部分には同一符号を付して説明を省略する。
【００１６】
図１は、本発明に係る電池収容部構造を有する防水型電気機器の一例として浴室内用リモコンを示し、符号２は円筒型電池である。
【００１７】
この浴室内用リモコンは、防水された箱型のケース１０内に電子基板等を備え、単三、単四型等の円筒型電池２，２を電源として機能するようになっている。
【００１８】
このリモコンの円筒型電池２，２を収容する部分の構造は、図２に示すように、円筒型電池２，２を保持する電池ホルダ部１１，１１と、機器の外殻を形成し、内部に電池ホルダ部１１，１１を収容する箱型の防水型電気機器用ケース１０と、電池ホルダ部１１，１１の位置に合わせてケース１０に形成された円形の電池装填口１２と、電池装填口１２を開閉可能に閉鎖する装填口閉鎖蓋１３とを備え、装填口閉鎖蓋１３を開き、電池装填口１２より円筒型電池２，２の装填及び取り出しを行えるようになっている。
【００１９】
また、この装填口閉鎖蓋１３と電池装填口１２との間には、ゴム材等の弾性部材からなるリング状の止水用パッキン１４が介在され、電池装填口１２と装填口閉鎖蓋１３との間を気密に閉鎖するようになっている。
【００２０】
防水型電気機器用ケース１０は、合成樹脂材からなる薄型直方体状の箱を表裏に分割した形状の表側ケース１５及び裏側ケース１６をもって形成され、表側ケース１５の下端部内面部には、電池ホルダ部１１，１１が一体に形成され、裏側ケース１６の電池ホルダ部１１，１１と対向する部分には、電池装填口１２が形成されている。
【００２１】
電池ホルダ部１１，１１は、図３に示すように、表側ケース１５の内側面より一体に立ち上げた両端板１７，１７と、両端板１７，１７の側部に配置された側板１８，１８とを備え、表側ケース１５の内側面部を底板とし、電池装填口１２側が開口した箱状に形成され、互いに長手方向にずれた配置に一体に形成されている。
【００２２】
両端板１７，１７には、その互いに対向する側にそれぞれ円筒型電池２の電極と接触する電極端子１９，２０が支持されている。
【００２３】
この電池ホルダ部１１の両電極端子１９，２０間には、電池ホルダ部１１の開口部側より、即ち両電極端子間方向と交差する方向（両電極端子間に装填した状態の円筒型電池の直径方向又はそれに近い角度の方向）より円筒型電池２が装填されるようになっている。
【００２４】
一方の電極端子１９は、電池２の一方の電極に弾性的に接触する円錐螺旋状のコイルスプリングからなり、装填された円筒型電池２を他方の電極端子２０側に付勢するようになっており、電池ホルダ部１１に円筒型電池２を装填する際には、電極端子１９に一方の電極（負極）を押し当てつつ、電極部を中心にして電池２を回動させて他方の電極（正極）を電極端子２０に接触させるようになっている。
【００２５】
一方、電池装填口１２は、裏側ケース１６の裏面板部に円形に形成され、その内縁部に雌ねじ部が形成されている。
【００２６】
電池装填口１２の直径は、円筒型電池２の長手方向長さより小さく且つ、この電池装填口１２を通して円筒形電池２をケース１０内の電池ホルダ部１１，１１に装填可能な大きさとなっており、電池装填口１２側からみて電池ホルダ部１１，１１は、その一方の端部にそれぞれ電池装填口１２周辺のケース１０が被さり、電池ホルダ部１１に装填された円筒型電池２，２の端部がそれぞれ電池装填口１２周辺のケース１０内側部に潜り込むように配置されている。
【００２７】
即ち、電池ホルダ部１１，１１は、コイルスプリングからなる電極端子（負極側）１９側が円の外側となる位置、即ち電池装填口１２周辺のケース１０に潜り込む位置に、他方２０側が円の内側となる位置、即ち電池装填口１２を介して露出する位置に配置され、円筒型電池２の負極側をケース１０内側部に潜り込ませて電極端子１９に弾性的に接触させ、電極端子１９を押圧しつつ負極部を中心に回動させ装填するようになっている。
【００２８】
このように構成する事により、電池装填口１２の直径を円筒型電池２の長手方向長さより小さくしても好適に円筒型電池２を電池ホルダ部１１に装填することができ、電池装填口１２の直径を小さくすることで防水性電気機器の小型化を図ることができる。
【００２９】
この電池装填口１２の周囲には、止水用パッキン１４が嵌め込まれるパッキン収容溝２１が形成され、その溝２１の外側部には、装填口閉鎖蓋１３の一部が嵌まり込む凹部２２が形成されている。
【００３０】
更に、電池装填口１２の内側開口部には、円板状のカバー２３が貼り合わされ、カバー２３に形成された挿通孔２４を通して電池ホルダ部１１，１１に円筒型電池２，２を装填するようになっている。
【００３１】
挿通孔２４は、電池ホルダ部１１，１１の配置に合わせて長手方向にずらした配置に形成されている。
【００３２】
また、カバー２３の表面部には、装填口閉鎖蓋１３の裏面に形成された係止突起２５と弾性的に係合する弾性係止片２６が一体に形成されている。
【００３３】
装填口閉鎖蓋１３は、図４に示すように、一方が開口した有底円筒状の蓋本体３０と、蓋本体３０の開口縁部より外側に張り出したフランジ部３１と、蓋本体３１底板の表面部に突出した回転用取っ手部３２とを一体に備えている。
【００３４】
この装填口閉鎖蓋１３は、蓋本体３０の外周部に雄ねじ部３０ａを備え、該雄ねじ部３０ａを電池装填口１２内縁部の雌ねじ部に螺合させ、装填口閉鎖蓋１３を電池装填口１２にねじ込むことにより、電池装填口１２を閉鎖するとともに、フランジ部３１が凹部２２に止水用パッキン１４を均等に圧縮しつつ嵌まり込み、電池装填口１２を気密に閉鎖するようになっている。
【００３５】
装填口閉鎖蓋１３を電池装填口１２にねじ込んだ際に、電池装填口１２が気密に閉鎖された状態にある所定の位置で装填口閉鎖蓋１３の裏面、即ち蓋本体３０の底板裏面部に形成された係止突起２５が、カバー２３の表面部に形成された弾性係止片２６と互いに係合し、装填口閉鎖蓋１３がそれ以上回転しないようになっている。
【００３６】
一方、装填口閉鎖蓋１３を逆方向に回転させることにより電池装填口１２より装填口閉鎖蓋１３を取り外すことができる。
【００３７】
尚、上述の実施例では、止水用パッキン１４を電池装填口１２の周辺に形成した溝部に嵌め込む構造のものについて説明したが、止水用パッキン１４は、電池装填口内周面と装填口閉鎖蓋の外周面との間に介在させるようにしてもよく、装填口閉鎖蓋側に保持させるようにしてもよい。
【００３８】
また、上述の実施例では、一方の電極端子を円錐螺旋状のコイルスプリングとした例について説明したが、電極端子は、板バネ状等の電池の一方の極部に弾性的に接触するものであればよい。また、両電極端子を各電極部に弾性的に接触する構造のものとしてもよい。
【００３９】
尚、上述の実施例では、本発明を利用する防水型電気機器として浴室内用リモコンを例として挙げたが、電気機器は、テレビ、携帯電話機等の携帯通信機器、カメラ、懐中電灯等の照明器具、その他、円筒型電池を電源とする如何なる電気機器であってもよい。
【図面の簡単な説明】
【００４０】
【図１】本発明に係る防水型電気機器の電池収容部構造を有する電気機器の一例を示す斜視図である。
【図２】同上の防水型電気機器の電池収容部構造を示す断面図である。
【図３】同上の防水型電気機器を示す部分破断平面図である。
【図４】（ａ）は図１中の装填口閉鎖蓋を示す斜視図、（ｂ）は同底側から見た斜視図である。
【図５】（ａ）は従来の防水型電気機器の電池収容部構造の一例を示す平面図、（ｂ）は同断面図である。
【符号の説明】
【００４１】
２  円筒型電池
１０  防水型電気機器用ケース
１１  電池ホルダ部
１２  電池装填口
１３  装填口閉鎖蓋
１４  止水用パッキン
１５  表側ケース
１６  裏側ケース
１７  端板
１８  側板
１９  電極端子（負極側）
２０  電極端子（正極側）
２１  パッキン収容溝
２２  凹部
２３  カバー
２４  挿通孔
２５  係止突起
２６  弾性係止片
３０  蓋本体
３１  フランジ部
３２  回転用取っ手部
【図１】
2006216342.tif 000003
【図２】
2006216342.tif 000004
【図３】
2006216342.tif 000005
【図４】
2006216342.tif 000006
【図５】
2006216342.tif 000007